(57)【要約】      （修正有）【課題】折り鶴等の陳列を、軽量にて安定させ、小さなスペースで保管・輸送が可能な折り畳みできる陳列体を提供する。【解決手段】陳列体Ｂは、四辺のうちの縦方向の二辺に位置する彎曲支点Ｃ２０、Ｃ２１をもって彎曲し、四辺のうちの横方向の二辺に平行する一対の湾曲分割線と、彎曲分割線を結ぶ連結分割線をもって互いに対向する凸状保持板Ｃ１８、Ｃ１９を設け、この凸状保持板を上方向に開放して形成される頂上開口部に陳列物Ｈを貫通して、陳列状態を安定させる弾力性材質からなる陳列板Ｃで構成され、湾曲支点を有する二辺の延長に折り曲げ線をもって付設した一対の底板Ｄ、Ｅに、一方の凸部には折り曲げ線をもって対応的凹凸部を配設し、一対の底板を上下に重ね合わせて対応的凹凸部を係合することで、彎曲状態を安定させる。【選択図】図３
0003216640.tif 000002
【実用新案登録請求の範囲】
【請求項１】
外形形状の四辺のうちの横方向の二辺に平行するところの一対の湾曲分割線と、この彎曲分割線を結ぶ連結分割線をもって互いに対向する凸状保持板を設け、この凸状保持板を上方向に開放して形成される頂上開口部に陳列物を貫通し、外形形状の四辺のうちの縦方向の二辺に位置する彎曲支点をもって彎曲した弾力性材質からなる陳列板において、前記湾曲支点を有する二辺の延長に開閉自在なる折り曲げ線をもって付設した一対の底板に、一方の凸部には開閉自在なる折り曲げ線をもって対応的凹凸部を配設し、前記底板を上下に重ね合わせて前記対応的凹凸部を係合した陳列体。
【考案の詳細な説明】
【技術分野】
【０００１】  本考案は、折り鶴等の陳列体に関するものである。
【背景技術】
【０００２】  従来の折り鶴等を挿入する頂上開口部を有するところの陳列板を彎曲したものは、陳列板が安定したアーチ状の彎曲状態にならないことより、折り鶴等が安定した陳列状態にならないという問題があった。【０００３】  以下、図１・２により従来の陳列板について説明する。【０００４】  従来の陳列板は、陳列板Ａに頂上開口部Ａ１を配設する実施例である。【０００５】  陳列板Ａは、厚み０．３ｍｍ程度の、ある程度の弾力性を有するところの厚紙にて、四辺Ａ２〜Ａ５からなる長方形の外形形状からなり、中央には平行する彎曲分割線Ａ６・Ａ７とＸ字状の連結分割線Ａ８・Ａ９を設けている。【０００６】  彎曲分割線Ａ６・Ａ７は、陳列板Ａの上下辺Ａ２・Ａ４にそれぞれ平行し、一方の彎曲分割線Ａ６の左端Ａ１０・右端Ａ１１と、他方の彎曲分割線Ａ７の右端Ａ１３・左端Ａ１２をそれぞれ結ぶところの２本の連結分割線Ａ８・Ａ９がＸ字状に配設されており、連結分割線Ａ８・Ａ９の半分の大きさからなる斜辺Ａ１４・Ａ１５とＡ１６・Ａ１７をもって、三角形の凸状保持板Ａ１８・Ａ１９が対向して付設されている。【０００７】  したがって、彎曲分割線Ａ６・Ａ７と、上方向に開放した凸状保持板Ａ１８・Ａ１９により頂上開口部Ａ１が形成されることとなり、この頂上開口部Ａ１内に陳列物Ａ２２を挿入するならば、対向する凸状保持板Ａ１８・Ａ１９間の水平方向の間隔が元の状態より大きくなる、このことは、弾力性を有する材質により凸状保持板Ａ１８・Ａ１９と左右辺Ａ３・Ａ５間をそれぞれ彎曲させることとなり、さらに、左右辺Ａ３・Ａ５間の間隔を水平方向に小さくすることになる、すなわち、左右辺Ａ３・Ａ５を彎曲支点Ａ２０・Ａ２１として陳列板Ａ全体を彎曲することになる。【０００８】  また、上方向に開放した凸状保持板Ａ１８・Ａ１９が、弾力性を有する材質による反発力により、陳列物Ａ２２を圧接することになって、陳列状態は安定することになるとともに、この陳列物Ａ２２を取り除くならば、弾力性を有する材料でもって陳列板Ａは扁平状となり、小さなスペースで保管・輸送が可能となるところの折り畳みできる陳列板Ａとなる。
【考案の概要】
【考案が解決しようとする課題】
【０００９】  従来の折り鶴等の陳列においては、上方向に開放したところの、対向する凸状保持板を有する開口部に折り鶴を挿入して、ある程度の陳列状態の安定は得ることができるが、この開口部を形成する陳列板の彎曲状態が不安定であっては、当然のことながら、開口部も不安定となって折り鶴等の陳列状態を安定したものにはならない、従って、陳列板の彎曲状態が安定することにより、折り鶴等の陳列状態が安定し、また、小さなスペースで保管・輸送が可能なところの折り畳みできる陳列体を得ることを目的とする。
【課題を解決するための手段】
【００１０】  本考案の課題解決手段は、外形形状の四辺のうちの横方向の二辺に平行するところの一対の湾曲分割線と、この彎曲分割線を結ぶ連結分割線をもって互いに対向する凸状保持板を設け、この凸状保持板を上方向に開放して形成される頂上開口部に陳列物を貫通し、外形形状の四辺のうちの縦方向の二辺に位置する彎曲支点をもって彎曲した弾力性材質からなる陳列板において、湾曲支点を有する二辺の延長に開閉自在なる折り曲げ線をもって付設した一対の底板に、一方の凸部には開閉自在なる折り曲げ線をもって対応的凹凸部を配設し、底板を上下に重ね合わせて対応的凹凸部を係合した陳列体とするものである。
【考案の効果】
【００１１】  上述の様に考案効果は、外形形状の四辺のうちの横方向の二辺に平行するところの一対の湾曲分割線と、この彎曲分割線を結ぶ連結分割線をもって互いに対向する凸状保持板を設け、この凸状保持板を上方向に開放して形成される頂上開口部に陳列物を貫通し、外形形状の四辺のうちの縦方向の二辺に位置する彎曲支点をもって彎曲した弾力性材質からなる陳列板において、陳列物が頂上開口部を貫通することにより、頂上開口部を形成する対向する凸状保持板の水平方向の間隔が大きくなり、弾力性を有する材質により陳列板は彎曲するとともに、凸状保持板が陳列物を圧接して、陳列状態が安定することになる。【００１２】  また、湾曲支点を有する二辺の延長に開閉自在なる折り曲げ線をもって付設した一対の底板に、一方の凸部には開閉自在なる折り曲げ線をもって対応的凹凸部を配設し、底板を上下に重ね合わせて対応的凹凸部を係合した陳列体は、上下に重ね合わされた２枚の底板を互いに係合することにより、陳列板の彎曲支点を有する二辺の平行状態は安定することとなり、陳列体の彎曲状態はアーチ状に安定するとともに、陳列体は弾力性を有する材質によるものであり、陳列板の縦辺に延長する２枚の底板、及び、２枚の底板を互いに係合するところの対応的凹凸部のうちの凸部は、それぞれ折り曲げ線をもって付設されており、これらが開閉自在となって陳列体は扁平状とすることができ、小さなスペースで保管・輸送が可能となるところの折り畳みできる陳列体となる。
【図面の簡単な説明】
【００１３】
【図１】従来の陳列板の正面より見た要部断面図である。
【図２】同陳列板の展開図である。
【図３】本考案の実施の形態を示す陳列体の正面より見た要部断面図である。
【図４】同陳列体の展開図である。
【考案を実施するための形態】
【００１４】  以下、本考案の実施の形態を実施例にもとづき図面を参照して説明する。
【実施例】
【００１５】  実施の形態を示す図３・４において、陳列体Ｂは、陳列板Ｃに上側底板Ｅ・下側底板Ｄを付設する実施例である。【００１６】  陳列体Ｂは、厚み０．３ｍｍ程度の、ある程度の弾性を有するところの厚紙にて、このうちの陳列板Ｃは上述の従来の陳列板Ａと同等なる四辺Ｃ２〜Ｃ５からなり、この左右辺Ｃ３・Ｃ５のうちの左辺Ｃ３に下側底板Ｄ・弓形係合片Ｆ、右辺Ｃ５に上側底板Ｅ・係合孔Ｇを設け、この弓形係合片Ｆを係合孔Ｇに挿入して、重ね合わせた上側底板Ｅと下側底板Ｄを係合している。【００１７】  陳列板Ｃは、上述の従来の陳列板Ａと同等であり、頂上開口部Ｃ１、辺Ｃ２〜Ｃ５、彎曲分割線Ｃ６・Ｃ７、連結分割線Ｃ８・Ｃ９、左端Ｃ１０・Ｃ１２、右端Ｃ１１・Ｃ１３、斜辺Ｃ１４〜Ｃ１７、凸状保持板Ｃ１８・Ｃ１９、彎曲支点Ｃ２０・Ｃ２１は、上述の従来の陳列板Ａの頂上開口部Ａ１、辺Ａ２〜Ａ５、彎曲分割線Ａ６・Ａ７、連結分割線Ａ８・Ａ９、左端Ａ１０・Ａ１２、右端Ａ１１・Ａ１３、斜辺Ａ１４〜Ａ１７、凸状保持板Ａ１８・Ａ１９、彎曲支点Ａ２０・Ａ２１にそれぞれ相当するものであるが、四辺Ｃ２〜Ｃ５のうちの左右辺Ｃ３・Ｃ５には、開閉自在なる折り曲げ線Ｃ２３・Ｃ２４をもって、それぞれ下側底板Ｄ・上側底板Ｅを設けており、下側底板Ｄの上下辺Ｄ１・Ｄ３、及び、上側底板Ｅの上下辺Ｅ１・Ｅ３の長さは、陳列板Ｃの上下辺Ｃ２・Ｃ４の長さより、それぞれ小さくなっている。【００１８】  上側底板Ｅの四辺Ｅ１〜Ｅ４のうちの左辺Ｅ２と、陳列板Ｃの右辺Ｃ５を一体とし、この上側底板Ｅには四辺Ｇ１〜Ｇ４からなる長方形にて、この長辺Ｇ２が陳列板Ｃの右辺Ｃ５に沿って平行するところの係合孔Ｇを配設している。【００１９】  下側底板Ｄの四辺Ｄ１〜Ｄ４のうちの右辺Ｄ４と、陳列板Ｃの左辺Ｃ３を一体とし、陳列板Ｃの頂上開口部Ｃ１に向かう頂点Ｆ１と、下側底板Ｄの左辺Ｄ２に沿って平行し、開閉自在なる折り曲げ線Ｆ４をもつところの弦Ｆ２からなる弓形分割線Ｆ３より形成される弓形係合片Ｆを配設している。【００２０】  なお、上側底板Ｅと下側底板Ｄを重ね合わせ、弓形係合片Ｆを係合孔Ｇに挿入する場合、上側底板Ｅと下側底板Ｄを水平状態にてスキマなく密着するとともに、下側底板Ｄの弓形係合片Ｆを折り曲げ線Ｆ４をもって上方向に開放して、弓形係合片Ｆの全体を係合孔Ｇ内に挿入して上側底板Ｅに重なり合わせるならば、陳列板Ｃの左右辺Ｃ３・Ｃ５の間隔を大きくしようとしても、係合孔Ｇの四辺Ｇ１〜Ｇ４のうちの右辺Ｇ４が、弓形係合片Ｆの弦Ｆ２の位置にて係止され、左右辺Ｃ３・Ｃ５の間隔が大きくなることはなく、重なり合った上側底板Ｅと下側底板Ｄの付設状態は安定することになる。【００２１】  したがって、上述の従来の陳列板Ａで述べたように、陳列物Ｈが頂上開口部Ｃ１を貫通することにより、頂上開口部Ｃ１を形成する対向する凸状保持板Ｃ１８・Ｃ１９間の水平方向の間隔が大きくなり、凸状保持板Ａ１８・Ａ１９が弾力性を有する材質により陳列物Ｈを圧接することになって、陳列状態は安定することになる。【００２２】  また、上下に重ね合わされた上側底板Ｅ・下側底板Ｄの係合孔Ｇ・弓形係合片Ｆの係合により、陳列板Ｃの彎曲支点Ｃ２０・Ｃ２１を有する左右辺Ｃ３・��５の平行状態は安定して、陳列体Ｂの彎曲状態はアーチ状に安定することになるとともに、陳列体Ｂは弾力性を有する材質によるものであり、陳列板Ｃの左右辺Ｃ３・Ｃ５の延長の上側底板Ｅ・下側底板Ｄ、及び、下側底板Ｄの弓形係合片Ｆは、それぞれ折り曲げ線Ｃ２３・Ｃ２４・Ｆ４をもって付設されており、これらが開閉自在となって陳列体Ｂは扁平状にすることができ、小さなスペースで保管・輸送が可能となるところの折り畳みできる陳列体Ｂとなる。【００２３】  上述の実施例において、陳列板Ｂを厚紙製としているが、弾力性を有するプラスチック板としてもよい。【００２４】  また、彎曲分割線Ｃ６・Ｃ７と連結分割線Ｃ８・Ｃ９は、それぞれ直線からなる分割線としているが、陳列物の挿入部分の水平断面形状に合わせて、曲線を含む分割線としてもよい。【００２５】  また、２本の連結分割線Ｃ８・Ｃ９をＸ字状として、対向する三角形の凸状保持板Ｃ１８・Ｃ１９を設けているが、一対の彎曲分割線Ｃ６・Ｃ７のそれぞれの中央を結ぶところの１本の連結分割線とするならば、この１本の連結分割線と彎曲分割線Ｃ６・Ｃ７はＨ字状に形成されて、四辺形からなる対向する凸状保持板によって陳列物を圧接してもよい。【００２６】  また、上側底板Ｅと下側底板Ｄを重ね合わせ、それぞれに付設した係合孔Ｇと弓形係合片Ｆを係合して組立しているが、この陳列体Ｂを分解する必要がないのであれば、係合孔Ｇ・弓形係合片Ｆは不要となり、上側底板Ｅと下側底板Ｄを互いに接着してもよい【００２７】  また、上側底板Ｅに係合孔Ｇを配設し、下側底板Ｄに弓形係合片Ｆを配設して係合しているが、上側底板に弓形係合片を配設し、下側底板に係合孔を配設しても問題ないし、また、係合孔Ｇの形状を長方形としているが、挿入する弓形係合片Ｆが厚紙等のように薄いものの場合には、係合孔をカッター等によって切り開く分割線であっても問題はない。
【符号の説明】
【００２８】Ａ、Ｃ  陳列板
Ｂ  陳列体
Ｄ  下側底板
Ｅ  上側底板
Ｆ  弓形係合片
Ｇ  係合孔
Ｈ  陳列物
【図１】
0003216640.tif 000003
【図２】
0003216640.tif 000004
【図３】
0003216640.tif 000005
【図４】
0003216640.tif 000006